(57)【特許請求の範囲】
【請求項１】
ネット状の面状弾性体を枠体の枠内に張って座面部を形成すると共に、パッド部材を該枠体の枠辺に組み付け、そのパッド部材を土手用の表皮で包み込んで土手部を形成するシートであって、
土手用の表皮及び力布を面状弾性体と重ねて止着し、前記力布を枠体の枠辺に立設したリテーナーで該枠辺に掛け止めて面状弾性体を枠内に張設すると共に、前記枠体の枠辺と前記リテーナーを覆って枠体の枠辺に組み付けるパッド部材を土手用の表皮で包み込んだことを特徴とする面状弾性体による座面部を有するシート。
【請求項２】
前記土手用の表皮及び前記力布を前記面状弾性体と重ねて端末止着した端末部と、前記力布を掛け止めたリテーナーとをパッド部材で覆って該パッド部材を枠体の枠辺に組み付けたことを特徴とする請求項１に記載の面状弾性体による座面部を有するシート。
【請求項３】
前記力布を枠体の枠辺にあてがってリテーナーで該枠辺に掛け止め、前記力布により面状弾性体を前記枠体の枠内に張設すると共に、前記リテーナーから力布をパッド部材で覆って該パッド部材を枠体の枠辺に組み付けたことを特徴とする請求項１または２に記載の面状弾性体による座面を有するシート。
【発明の詳細な説明】
【０００１】
【発明の属する技術分野】
本発明は、ネット状の面状弾性体を枠体の枠内に張設することにより座面部を形成するシートの改良に関するものである。
【０００２】
【従来の技術】
従来、ネット状の面状弾性体を枠体に枠内に張設することから座面部を形成するシートは既に提案されている（ＵＳＰ５，０１３，０８９、同５，５３３，７８９、特表平８−５０７９３５号）。
【０００３】
そのシートは面状弾性体により座面部を形成することから通常のシートと様相を変えられ、また、クッション性，通気性を座面部に付与できると共に、座面部を構成するのに要するパッド部材やスプリング部材等を省けて軽量化を図れ、更には面状弾性体の薄さによりスペース効率のよいものに組み立てられる。
【０００４】
その面状弾性体を枠体の枠内に張設するのにあたり、先に提案されているシートでは樹脂プレートを面状弾性体の周回り縁に備えてシートフレームの軸線上に設けた凹溝に嵌め込み、または面状弾性体の周回り縁をシートフレームの軸線上に直接巻き付けて押えプレートと共にネジ止めするよう示されている。
【０００５】
然し、それでは土手部をほとんど設けられないところから、座者のホールド性に欠ける。また、硬い樹脂プレートが枠回りに位置するため、着座時に違和感を座者に与えるばかりでなく、樹脂プレートが面状弾性体と接触することにより摩擦による縁切れが面状弾性体に生ずる虞れもある。
【０００６】
【発明が解決しようとする課題】
本発明は、座面部を面状弾性体で形成すると共に、大きな隆起を呈する土手部を簡単な構造で形成できて座者のホールド性を高め、また、着座時に違和感を座者に与えない着座性の良好な面状弾性体による座面部を有するシートを提供することを目的とする。
【０００７】
また、本発明は座面部の装飾性や体裁を高められ、座者に対するソフトなタッチ感，フィット感をも与えられる面状弾性体による座面部を有するシートを提供することを目的とする。
【０００８】
更に、本発明は堅牢な構造で容易に組み立てられる面状弾性体による座面を有するシートを提供することを目的とする。
【０００９】
【課題を解決するための手段】
本発明の請求項１に係る面状弾性体による座面部を有するシートにおいては、ネット状の面状弾性体を枠体の枠内に張って座面部を形成すると共に、パッド部材を該枠体の枠辺に組み付け、そのパッド部材を土手用の表皮で包み込んで土手部を形成するもので、
土手用の表皮及び力布を面状弾性体と重ねて止着し、前記力布を枠体の枠辺に立設したリテーナーで該枠辺に掛け止めて面状弾性体を枠内に張設すると共に、前記枠体の枠辺と前記リテーナーを覆って枠体の枠辺に組み付けるパッド部材を土手用の表皮で包み込むことにより構成されている。
【００１０】
本発明の請求項２に係る面状弾性体による座面部を有するシートにおいては、前記土手用の表皮及び前記力布を前記面状弾性体と重ねて端末止着した端末部と、前記力布を掛け止めたリテーナーとをパッド部材で覆って前記パッド部材を枠体の枠辺に組み付けることにより構成されている。
【００１１】
本発明の請求項３に係る面状弾性体による座面部を有するシートにおいては、前記力布を枠体の枠辺にあてがってリテーナーで該枠辺に掛け止め、前記力布により面状弾性体を前記枠体の枠内に張設すると共に、前記リテーナーから力布をパッド部材で覆って該パッド部材を枠体の枠辺に組み付けることにより構成されている。
【００１２】
【発明の実施の形態】
以下、添付図面を参照して説明すると、図示実施の形態は図１で示すように車輌用シートを構成するもので、シートバックＢ並びにシートクッションＣを各々組み立てるのに適用されている。この車輌シートの各部Ｂ，Ｃは略四辺形の枠体をシートフレーム１，１０とし、座面部を形成する面状弾性体２，１１と、土手部を形成するパッド部材３，１２と、そのパッド部材３，１２を被包する土手用の表皮４，１３とを主たる構成部材として組み立てられている。
【００１３】
その具体的な構成をシートバックＢに基づいて説明すると、シートバックフレーム１としては略四辺形の枠体でなり、図２で示すように枠内に向けて開放されたコの字状の横断面形状を有する金属フレームが用いられている。このシートバックフレーム１は、略四辺形の各辺が座者の着座姿勢に適合するよう軸曲げ形成されている。
【００１４】
面状弾性体２としては、伸縮性，通気性を有する布地が用いられている。例えば、内装織物に使用される繊維状ヤーンからなる複数のストランドで交織された複数のエラストマーモノフィラメントで形成したもの、或いは１０００〜４０００デニールのエラストマーモノフィラメントを経糸または緯糸に織り込みまたは編み込んで伸縮性，通気性を付与した織物または編物を用いるようにできる。
【００１５】
パッド部材３は発泡ウレタン等のクッションフォーム体でなり、シートバックフレーム１の外側より前面，側面並びに背面に嵌込み固定できるよう所定の立体形状に形成されている。そのパッド部材３は、ホールド性の良好な土手部を組み立てるべく大きく隆起するよう形成されている。
【００１６】
特に、両側部の中腹から下部側は座者のホールド部とし、上部側はヘッドレスト部として大きく隆起するよう形成されている。このパッド部材３はシートバックフレーム１の各辺毎に個別に組付け可能に形成し、またはシートバックフレーム１の枠形状に合わせて全体を連続した一体ものに形成するようにできる。
【００１７】
土手用の表皮４としては、汎用の本革，合皮，ファブリック等のいずれでも用いることができる。この土手用の表皮４は面状弾性体２の端末より表返しにし、シートバックフレーム１の各辺に組み付けられるパッド部材３を外側より包み込めるよう略Ｃ字形の横断面形状を呈し、また、全体が連続の一体ものとして縫製するようにできる。
【００１８】
シートバックフレーム１の前面側には、後述する如く面状弾性体２の周回りを止着固定するのに用いられるリテーナー５が所定の間隔を隔て軸線方向に沿って複数個備え付けられている。このリテーナー５は金属板材をコの字状に折り曲げたものでなり、開放側を外方に向けて下辺部をシートバックフレーム１のフレーム面に溶接することによりシートバックフレーム１に立設固定されている。
【００１９】
面状弾性体２には土手用の表皮４を表合わせに重ねて端末間で縫い付け、また、力布６を端末に沿って裏面側に縫い付けることにより土手用の表皮４，力布６が止着されている。力布６としては、伸びが少なくて強度の高い平織りの布を用いるとよい。また、土手用の表皮４よりも先に縫い付け、本数，太さ等を調整した縫い糸で縫着し、更には縫着に加えてホットメルト接着剤を塗布することにより接合強度を強く保つことができる。
【００２０】
力布６は、袋縁を切り欠いて切欠部６ａを所定の間隔毎に設けた帯状の袋として面状弾性体２の端末に沿って縫着されている。この力布（以下、「力布袋」という。）６は切欠部６ａから軸線を露出させて金属ワイヤー７を袋内に備え、金属ワイヤー７の軸線と係合するリテーナー５でシートバックフレーム１の枠辺に掛け止めて面状弾性体２を枠内に張設するものとして面状弾性体２の端末に沿って備え付けられている。
【００２１】
上述した各部材からシートバックＢを組み立てるには、まず、力布袋６を引張って金属ワイヤー７の軸線をシートバックフレーム１のリテーナー５に掛け止める。これにより、面状弾性体２は周回りから力布袋６で引っ張られて適度な弾性力を保つようシートバックフレーム１の枠内に張設することができる。
【００２２】
その面状弾性体２の張設後、パッド部材３をシートバックフレーム１の各辺に組み付ける。このパッド部材３は、力布袋６を含めてシートバックフレーム１のリテーナー５を覆うよう組み付ける。
【００２３】
その後、土手用の表皮４を面状弾性体２の端末より表返しにさせてパッド部材３を包み込む。この土手用の表皮４はフック状のトリムコード８を他端末に取り付け、シートバックフレーム１の背面側に巻き込んで、トリムコード８をシートバックフレーム１のフランジ部に掛け止めることにより端末止着するようにできる。
【００２４】
このように構成するシートでは、図３で示すように面状弾性体２の縁回りにはパッド部材３が配置されていることから、硬質な構成部材による違和感を座者に与えるようなことがない。また、土手部はパッド部材３をシートバックフレーム１のフレーム部に組み付けてから土手用の表皮４で包み込むことにより形成されているため、座者を安定よくホールド可能な大きな隆起を呈するよう組み立てることができる。
【００２５】
これに加えて、面状弾性体２は袋縁を切り欠いて切欠部６ａを所定の間隔毎に設けた力布袋６を端末に沿って裏面側に縫い付け、その力布袋６の切欠部６ａより軸線を露出する金属ワイヤー７を袋内に備え、力布袋６を金属ワイヤー７の軸線と係合するリテーナー５でシートバックフレーム１のフレーム部に掛け止めるため、シートバックフレーム１の枠内に堅牢な構造で容易に張設することができる。
【００２６】
上述したリテーナー５としては図２で示すものの他に、図４で示すように角棒状または丸棒状の金属部材からコの字状に軸線曲げしたものをシートバックフレーム１のフレーム面に溶接固定することにより備え付けることができる。
【００２７】
その溶接固定タイプのものに代えて、図５で示すように両軸端をフック状に軸線曲げし、或いは図６で示すように軸線を連続させて側面Ｓ字状を呈するダブルクリップ状に軸線曲げした金属ワイヤーをリテーナーとすることもできる。このリテーナー５は、力布袋６に備えられた金属ワイヤー７の軸線とシートバックフレーム１のフレーム面に設けた止め穴１ａ，１ｂとの間に掛け止めることにより面状弾性体２をシートバックフレーム１の枠内に張設するよう力布袋６を引張り固定することができる。
【００２８】
そのリテーナー５としては、図７ａで示すような曲込みタイプのものを用いることができる。このリテーナー５は一端側をシートバックフレーム１のフレーム面に溶接固定し、力布袋６に備えられた金属ワイヤー７の軸線を自由端側に掛け止め、図７ｂで示すように自由端側を外方に返し曲げすると共に、図７ｃで示すようにシートバックフレーム１の側部に掛け止めるよう自由端側を曲げ加工すればよい。
【００２９】
そのリテーナー５では、力布袋６に備えられた金属ワイヤー７の軸線を自由端側に掛け止める際、初期テンションを面状弾性体２に加えないで容易に掛け止められる。また、自由端側をシートバックフレーム１の側部にまで掛け止めることにより浮きが生ずるのを抑えられ、面状弾性体２を適度な張力でシートバックフレーム１の枠内に張設することができる。
【００３０】
上述した構成に加えて、面状弾性体２には図８で示すように座面用の表皮９を表側に重ねて座面部を形成するようにできる。その座面用の表皮９は、土手用の表皮４または力布袋６を面状弾性体２の端末に縫い合わせる際に共縫いするようにできる。この座面用の表皮９を重ね合わせることから、座面部の装飾性乃至は意匠性を向上することができる。
【００３１】
座面用の表皮９には、表皮材９ａとワディング材９ｂとを接着したもの、またはワディング材９ｂを表皮材９ａと単に重ね合わせたものを用いるようにできる。この座面用の表皮９を面状弾性体２の表面側に重ね合わせると、座面部の装飾性を高められると共に、座者に対するソフトなタッチ感，フィット感をも与えることができる。
【００３２】
その座面用の表皮９としては通常のシートに用いられるファブリックを用い、この他に本革，合皮等の通気がない材質のものを用いることができる。その座面用の表皮９は面状弾性体２の略全面に重ね合わせ、或いはシートバックＢの場合には上部側を除いて下部側のみに張設することにより上部側の通気性を面状弾性体２で保つよう配設することもできる。また、この座面用の表皮９にはファブリック等の表皮材９ａを高通気性の発泡ウレタン（スケルトンフォーム：商品名）または綿布等のワディング材９ｂを積層または接着することにより通気性を保有させることもできる。
【００３３】
上述した実施の形態はシートバックＢの構成に基づいて説明したが、図１で示すようなシートクッションフレーム１０をベースとし、面状弾性体１１，土手部のクッションパッド１２，そのクッションパッド１２を被包する表皮材１３からシートクッションＣを組み立てるのにも適用できる。
【００３４】
そのシートクッションＣは、スライドレール１４ａ，１４ｂで摺動自在に立付け支持されるブラケットプレート１５ａ，１５ｂに取り付け、このブラケットプレート１５ａ，１５ｂを外装カバー１６ａ，１６ｂで覆うことにより通常のシートと同様に前後位置を調整可能に構成できる。また、シート全体はリクライニング機構１７を片側のブラケップレート１５ｂに備えることによりリクライニングシートとして構成することができる。
【００３５】
【発明の効果】
以上の如く、本発明の請求項１に係る面状弾性体による座面部を有するシートに依れば、土手用の表皮及び力布を面状弾性体と重ねて止着し、力布を枠体の枠辺に立設したリテーナーで該枠辺に掛け止めて面状弾性体を枠内に張設すると共に、枠体の枠辺とリテーナーを覆って枠体の枠辺に組み付けるパッド部材を土手用の表皮で包み込むことにより、座面部を面状弾性体で形成ししかも大きな隆起を呈する土手部を簡単な構造で形成できて座者のホールド性を高め、また、着座時に違和感を座者に与えない着座性の良好な面状弾性体による座面部を有するシートとして構成することができる。
【００３６】
本発明の請求項２に係る面状弾性体による座面部を有するシートに依れば、土手用の表皮及び力布を面状弾性体と重ねて端末止着した端末部と、力布を掛け止めたリテーナーとをパッド部材で覆ってパッド部材を枠体の枠辺に組み付けることにより、座面部を面状弾性体で形成ししかも大きな隆起を呈する土手部を簡単な構造で形成できて座者のホールド性を高め、また、着座時に違和感を座者に与えないで着座性の良好なものに構成できるのに加えて、体裁の良好な面状弾性体による座面部を有するシートとして構成することができる。
【００３７】
本発明の請求項３に係る面状弾性体による座面部を有するシートに依れば、力布を枠体の枠辺にあてがってリテーナーで該枠辺に掛け止め、力布により面状弾性体を枠体の枠内に張設すると共に、リテーナーから力布をパッド部材で覆ってパッド部材を枠体の枠辺に組み付けることにより、体裁の良好な面状弾性体による座面部を有すると共に、堅牢な構造で容易に組み立てられる面状弾性体による座面を有するシートとして構成することができる。
【図面の簡単な説明】
【図１】  本発明に係る面状弾性体による座面部を有するシートを全体的に示す展開斜視図である。
【図２】  同シートの構成部材を部分拡大断面で示す分解斜視図である。
【図３】  同シートの組立構造を示す部分拡大断面図である。
【図４】  同シートを組み立てるのに用いられる別のリテーナーを示す説明図である。
【図５】  同シートを組み立てるのに用いられる金属ワイヤーによるリテーナーを示す説明図である。
【図６】  同シートを組み立てるのに用いられる金属ワイヤーによる別のリテーナーを示す説明図である。
【図７ａ】  同シートを組み立てるのに用いられる曲込みタイプのリテーナーを示す説明図である。
【図７ｂ】  図７ａのリテーナーを曲込み途上で示す説明図である。
【図７ｃ】  図７ａのリテーナーを曲込み状態で示す説明図である。
【図８】  図２のものと別の形態に係る面状弾性体による座面部を有するシートの組立構造を示す部分拡大断面図である。
【符号の説明】
１    シートフレーム（枠体）
２    面状弾性体
３    パッド部材
４    土手用の表皮
５    リテーナー
６    力布(力布袋)
６ａ  切欠部
７    金属ワイヤー
９    座面用の表皮
９ａ  座面用表皮の表皮材
９ｂ  座面用表皮のワディング材
【図１】
0004066034.tif 000002
【図２】
0004066034.tif 000003
【図３】
0004066034.tif 000004
【図４】
0004066034.tif 000005
【図５】
0004066034.tif 000006
【図６】
0004066034.tif 000007
【図７ａ】
0004066034.tif 000008
【図７ｂ】
0004066034.tif 000009
【図７ｃ】
0004066034.tif 000010
【図８】
0004066034.tif 000011